(57)【要約】【課題】家具壁体と家具扉との間に取り付けられて家具扉の開閉手段として用いられる家具蝶番を提供する。【解決手段】本発明に係る家具扉のジャンプ距離を増大させる家具蝶番は、家具蝶番の胴体部１０に配設された移動部３０及び移動部３０の移動経路に取り付けられた調節部を用いて、家具扉Ｄの開閉過程で移動部３０を前進及び復帰させて家具蝶番の全体の長さを変えることにより、家具扉が完全に開かれても、家具壁体と家具扉とが互いに接触しないことから、家具の外装が剥がれるといった損傷が防がれることはもとより、接触騒音が無くなって消費者の満足度が向上する。【選択図】図５
2018013028.tif 000002
【特許請求の範囲】
【請求項１】
家具壁体（Ｂ）と家具扉（Ｄ）との間に配設される胴体部（１０）と、
前記家具壁体（Ｂ）の設置場所に前記胴体部（１０）を係合する壁体固定部（２０）と、
前記胴体部（１０）にガイド軸（３２）を介して結合された状態で前記ガイド軸（３２）に沿って往復動する移動部（３０）と、
前記移動部（３０）に上／下部回動板（４２，４４）を介して結合された状態で前記家具扉（Ｄ）の回転方向を案内する蝶番部（４０）と、
前記家具扉（Ｄ）の設置場所に前記蝶番部（４０）を蝶着する扉固定部（５０）と、
前記移動部（３０）に収容された状態で前記移動部（３０）の前進及び復帰を調節する調節部（６０）と、
を備え、
前記胴体部（１０）は、
前記移動部（３０）の内周面に収容される内部板（１２）と、
前記移動部（３０）の外周面に覆い被せられた外部板（１４）と、
前記内部板（１２）のボルト孔（１２−４）に締め付けられた状態で前記内部板（１２）と前記外部板（１４）とを結合するセッティングボルト（１６）と、
前記外部板（１４）のボルト孔（１４−２）に締め付けられた状態で前記内部板（１２）と前記外部板（１４）とを結合する張力ボルト（１８）と、
を備える、家具扉のジャンプ距離を増大させる家具蝶番。
【請求項２】
前記調節部（６０）は、
前記下部回動板（４４）に一体に形成されて前記家具扉（Ｄ）の開閉過程で前記下部回動板（４４）につれて回転する回転体（６２）と、
前記回転体（６２）及び前記ガイド軸（３２）にそれぞれ蝶着されて前記回転体（６２）の回転運動を直線運動に変換して前記ガイド軸（３２）を中心として前記移動部（３０）を前進及び復帰させるリンク体（６４）と、
を備える、請求項１に記載の家具扉のジャンプ距離を増大させる家具蝶番。
【請求項３】
前記移動部（３０）は、
前記胴体部（１０）の内部板（１２）と外部板（１４）との間に介在されて、前記ガイド軸（３２）を中心として往復動するガイド孔（３４）と、
前記胴体部（１０）の張力ボルト（１８）を中心として往復動する長凹孔（３６）と、
前記胴体部（１０）のセッティングボルト（１６）を中心として往復動する長凹孔（３８）と、
を備える、請求項１に記載の家具扉のジャンプ距離を増大させる家具蝶番。
【請求項４】
家具壁体（Ｂ）と家具扉（Ｄ）との間に配設された胴体部（１０）と
前記家具壁体（Ｂ）に前記胴体部の内部板（１２）を固定する壁体固定部（２０）と、
前記胴体部（１０）の外部板（１４）にガイド軸（３２）を介して結合された状態で前記ガイド軸（３２）を中心として往復動する移動部（３０）と、
前記移動部（３０）に上／下部回動板（４２，４４）を介して結合された状態で前記家具扉（Ｄ）の回転方向を案内する蝶番部（４０）と、
前記家具扉（Ｄ）に前記蝶番部（４０）を結合する扉固定部（５０）と、
前記移動部（３０）の移動経路に設けられて前記移動部（３０）の往復動を案内する案内部（７０）と、
を備え、
前記胴体部（１０）は、
前記移動部（３０）の内周面に突き当てられる内部板（１２）と、
前記内部板（１２）の上面に配設されて前記移動部（３０）との接触面積を狭めるとともに、外部の荷重を緩衝させる緩衝溝（１２−９）と、
を備える、家具扉のジャンプ距離を増大させる家具蝶番。
【請求項５】
前記案内部（７０）は、
前記外部板（１４）に形成されたガイド孔（７２）と、
前記外部板（１４）と前記移動部（３０）とを結合した状態で前記ガイド孔（７２）に沿って往復動するガイド軸（７４）と、
前記外部板（１４）の外周面に結合されて前記ガイド軸（７４）の復帰力を与える弾性リング（７６）と、
を備える、請求項４に記載の家具扉のジャンプ距離を増大させる家具蝶番。
【発明の詳細な説明】
【技術分野】
【０００１】
本発明は、家具壁体に取り付けられて家具扉の開閉手段として用いられる家具蝶番に係り、更に詳しくは、前記家具扉の開閉量に合わせて家具蝶番の長さを変えて家具扉と家具壁体との摩擦による損傷はもとより、騒音をも防ぐようにした、家具扉のジャンプ距離を増大させる家具蝶番に関する。
【背景技術】
【０００２】
一般に、家具蝶番は、家具壁体及び家具扉に取り付けられて家具扉の開閉手段として用いられる鉄製構造物であり、このような家具蝶番は、家具扉の開閉過程で発生する騒音や遊動を極力抑えることはもとより、家具扉の設置過程及びセッティング過程で求められる作動性を向上させることが何よりも重要である。
【０００３】
例えば、図１から図３に示すように、家具蝶番１００は、胴体部１１０と、前記胴体部１１０の一方の端部に蝶番部１４０を介して結合された状態で家具扉Ｄにボルトにより締め付けられる扉固定部１２０及び前記胴体部１１０の下部面に結合された状態で家具壁体Ｂにボルトにより締め付けられる壁体固定部１３０を備える。
【０００４】
また、図１から図３に示すように、前記蝶番部１４０は、前記胴体部１１０及び前記扉固定部１２０に蝶着されて弾性力を与える上部回動板１４２と、前記胴体部１１０及び前記扉固定部１２０に蝶着されて前記上部回動板１４２の作動を案内する下部回動板１４４と、を備える。
【０００５】
このため、前記たんすや流し台などの家具に前記家具蝶番１００を設置した状態で、前記家具扉Ｄを開くと、図３に示す順序に従って前記胴体部１１０と前記蝶番部１４０とをそれぞれ連結する蝶番軸１２５に沿って前記家具扉Ｄが回動しながら開かれる過程を経る。
【０００６】
ところが、前記家具蝶番１００は、単に前記蝶番部１４０の回動角度に応じて前記家具扉Ｄの開閉量が決定されるような構造を有し、前記家具扉Ｄが完全に開かれる場合、図２の「Ａ」部分のように前記家具扉Ｄと前記家具壁体Ｂとが接触して騒音が発生したり損傷されたりするという不都合を引き起こす。
【０００７】
すなわち、前記家具蝶番１００は、前記上／下部回動板１４２，１４４が単に前記蝶番軸１２５に沿って回動するような構造を有し、前記家具扉Ｄが９０°以上の角度で開かれる場合、前記家具壁体Ｂの外壁に前記家具扉Ｄの角部がぶつかって損傷されるため前記家具の寿命が低下する。
【０００８】
この理由から、前記家具扉Ｄが開かれる過程で前記家具壁体Ｂの外壁に前記家具扉Ｄの角部が接触することを源泉的に封鎖して、前記家具扉Ｄや前記家具壁体Ｂの損傷はもとより、接触騒音及び摩擦抵抗を防いで消費者の満足度を極大化させるための取り組みが切望されるのが現状である。
【先行技術文献】
【特許文献】
【０００９】
【特許文献１】大韓民国登録特許公報第１０−０７７０３７２号
【特許文献２】大韓民国公開特許公報第１０−２０１３−０１０８８８３号
【特許文献３】特許第７０３０６４９号公報
【特許文献４】特開２０００−３１４２６３号公報
【発明の概要】
【発明が解決しようとする課題】
【００１０】
本発明は、上述したような不都合を解消するために案出されたものであり、前記家具扉の開閉量に合わせて家具蝶番の長さを変えて家具扉と家具壁体との摩擦による損傷はもとより、騒音をも防ぐようにした、家具扉のジャンプ距離を増大させる家具蝶番を提供することを目的とする。
【課題を解決するための手段】
【００１１】
上記目的を達成するための本発明は、家具壁体と家具扉との間に配設される胴体部と、前記家具壁体の設置場所に前記胴体部を係合する壁体固定部と、前記胴体部にガイド軸を介して結合された状態で前記ガイド軸に沿って往復動する移動部と、前記移動部に上／下部回動板を介して結合された状態で前記家具扉の回転方向を案内する蝶番部と、前記家具扉の設置場所に前記蝶番部を蝶着する扉固定部と、前記移動部に収容された状態で前記移動部の前進及び復帰を調節する調節部と、を備え、前記調節部は、前記下部回動板に一体に形成されて前記家具扉の開閉過程で前記下部回動板につれて回転する回転体と、前記回転体及び前記ガイド軸にそれぞれ蝶着されて前記回転体の回転運動を直線運動に変換して前記ガイド軸を中心として前記移動部を前進及び復帰させるリンク体と、を備える。
【発明の効果】
【００１２】
以上述べたように、本発明によれば、少なくとも次のような効果を奏する。
【００１３】
まず、第一に、前記家具扉の開閉量に合わせて家具蝶番の全体の長さを変えることにより、前記家具扉の開閉過程で前記家具扉と家具壁体の角部とが接触する現象が源泉的に無くなる。
【００１４】
第二に、前記家具扉が完全に開かれても、前記家具壁体と前記家具扉とが互いに接触しないことから、前記家具の外装が剥がれるといった損傷が防がれることはもとより、接触騒音が無くなって消費者の満足度が向上する。
【００１５】
第三に、前記家具扉の開閉過程で前記家具蝶番の全体の長さが変わるので、前記家具扉の開閉角が拡張され、その結果、前記家具扉を厚く形成することができて家具の品質の高級化を図ることができる。
【００１６】
第四に、前記家具扉の開閉過程で前記家具壁体と前記家具扉とが互いに接触しないことから、前記家具扉に加えられた荷重が前記家具蝶番に伝わらないので、前記家具蝶番の損傷及び変形が防がれる。
【図面の簡単な説明】
【００１７】
【図１】従来の技術による家具蝶番の設置状態を示す断面図である。
【図２】従来の技術による家具蝶番が完全に開かれた状態を示す断面図である。
【図３】従来の技術による家具扉の作動過程を示す斜視図である。
【図４】本発明の実施形態１による家具蝶番を示す図である。
【図５】実施形態１による家具蝶番の作動状態を示す断面図である。
【図６】実施形態１による家具蝶番の分解状態を示す斜視図である。
【図７】実施形態１による家具蝶番の作動過程を示す斜視図である。
【図８】実施形態１による家具蝶番の作動過程を示す断面図である。
【図９】本発明の実施形態２による家具蝶番を示す図である。
【図１０】実施形態２による家具蝶番の分解状態を示す斜視図である。
【図１１】実施形態２による家具蝶番の作動過程を示す断面図である。
【発明を実施するための形態】
【００１８】
以下、本発明の実施形態による家具蝶番について詳細に説明する。
【００１９】
＜実施形態１＞
図４から図８に示すように、本発明の実施形態１による家具蝶番は、家具壁体Ｂと家具扉Ｄとの間に配設される胴体部１０と、前記家具壁体Ｂの設置場所に前記胴体部１０を係合する壁体固定部２０と、前記胴体部１０にガイド軸３２を介して結合された状態で前記ガイド軸３２に沿って往復動する移動部３０と、前記移動部３０に上／下部回動板４２，４４を介して結合された状態で前記家具扉Ｄの回転方向を案内する蝶番部４０と、前記家具扉Ｄの設置場所に前記蝶番部４０を蝶着する扉固定部５０と、前記移動部３０に収容された状態で前記移動部３０の前進及び復帰を調節する調節部６０と、を備え、前記調節部６０は、前記下部回動板４４に一体に形成されて前記家具扉Ｄの開閉過程で前記下部回動板４４につれて回転する回転体６２と、前記回転体６２及び前記ガイド軸３２にそれぞれ蝶着されて前記回転体６２の回転運動を直線運動に変換して前記ガイド軸３２を中心として前記移動部３０を前進及び復帰させるリンク体６４と、を備える。
【００２０】
まず、本発明の実施形態１による家具蝶番１は、胴体部１０と、壁体固定部２０と、移動部３０と、蝶番部４０と、扉固定部５０とが一体に組み立てられてなり、特に、前記家具蝶番１に前記家具扉Ｄの開閉過程で前記移動部３０を前進及び復帰させる前記調節部６０が更に配設されたところに特徴がある。
【００２１】
特に、前記家具蝶番１は、後述するガイド孔３４の長さに見合う分だけ前記移動部３０が前進又は復帰しながら長さを変えるような構造を有し、図５の「Ｂ」に示すように、前記家具扉Ｄが完全に開かれても前記家具扉Ｄと前記家具壁体Ｂの角部とが接触しない。
【００２２】
ここで、前記胴体部１０は、前記家具蝶番１の外観をなすとともに、前記家具扉Ｄの全体の荷重を支えるものであり、前記家具壁体Ｂと前記家具扉Ｄとの間に取り付けられた状態で前記家具扉Ｄの開閉過程で前記移動部３０の前進及び復帰によるルートを与える。
【００２３】
また、前記胴体部１０は、前記移動部３０の内周面及び外周面にそれぞれ突き当てられる内部板１２及び外部板１４が結合されてなり、特に、前記内部板１２と前記外部板１４又は前記内部板１２と前記移動部３０との結合に必須的に求められるセッティングボルト１６及び張力ボルト１８を備える。
【００２４】
更に、前記内部板１２は、前記壁体固定部２０に前／後方フック１２−６，１２−８を介して固定されるものであり、前記張力ボルト１８の下端部に嵌合する切欠孔１２−２及び前記セッティングボルト１６が締め付けられるボルト孔１２−４を備える。
【００２５】
更にまた、前記外部板１４は、前記移動部３０の外周面に覆い被せられて覆体の機能を行うものであり、前記外部板１４には、前記セッティングボルト１６の遊隔を与える長凹孔１４−２及び前記張力ボルト１８が締め付けられるボルト孔１４−４がそれぞれ形成される。もちろん、前記外部板１４には、後述する前記移動部３０のガイド軸３１を中心として往復動する長凹孔１４−６が形成される。
【００２６】
また、前記セッティングボルト１６は、前記内部板１２及び前記外部板１４の位置を設定及び固定するものであり、前記外部板１４の長凹孔１４−２を経た状態で前記内部板１２のボルト孔１２−４に締め付けられる。
【００２７】
更に、前記張力ボルト１８は、前記内部板１２及び前記外部板１４の張力を調節するものであり、前記外部板１４のボルト孔１４−４に締め付けられた状態で前記移動部３０の長凹孔３６を経て設けられ、特に、前記張力ボルト１８の下端部に前記切欠孔１２−２が係止される凹溝が形成される。
【００２８】
更にまた、前記壁体固定部２０は、前記家具壁体Ｂの設置場所に突き当てられた状態でボルトを介して締め付けられ、前記壁体固定部２０には、前記内部板１２の前方フック１２−６及び後方フック１２−８がそれぞれ結合される前方係止爪２２及び後方係止爪２４が形成される。もちろん、本発明においては、前記壁体固定部２０に前方係止爪２２及び後方係止爪２４が形成されると限定したが、本発明はこれに何等限定されるものではなく、前記内部板１２を着脱自在に結合する限り、本願の技術範囲に属するということはいうまでもない。
【００２９】
また、前記移動部３０は、前記内部板１２と前記外部板１４との間に介在されて前記家具扉Ｄの開閉過程で前進及び復帰するものであり、前記外部板１４に収容されてガイド軸３２を介して結合される。
【００３０】
更に、前記移動部３０には、前記ガイド軸３２が経るガイド孔３４と、前記張力ボルト１８を中心として往復動する長凹孔３６と、前記セッティングボルト１６を中心として往復動する長凹孔３８と、が形成され、特に、前記ガイド孔３４は、前記移動部３０の移動量を考慮してできる限り長凹孔の形状に形成する。
【００３１】
このとき、前記胴体部１０の外部板１４に前記移動部３０を結合した状態で、前記外部板１４の配設位置に前記ガイド軸３２を取り付けると、前記ガイド軸３２が前記ガイド孔３４を経させ、これにより、前記ガイド軸３２を中心として前記ガイド孔３４が前進及び復帰する。
【００３２】
また、前記蝶番部４０は、前記移動部３０と前記扉固定部５０とを結合するものであり、前記移動部３０及び前記扉固定部５０にそれぞれ蝶着されて弾性力を与える上部回動板４２及び前記移動部３０及び前記扉固定部５０にそれぞれ蝶着される下部回動板４４を備える。
【００３３】
更に、前記扉固定部５０は、前記家具扉Ｄの凹溝に収容されてボルトを介して固定されるものであり、前記上部回動板４２の先端部及び前記下部回動板４４の先端部がそれぞれ蝶着される。
【００３４】
更にまた、前記調節部６０は、前記家具扉Ｄの開閉過程で発生する回転運動を直線運動に変換して前記移動部３０の前進及び復帰に必要な作動力を提供するものであり、前記移動部３０に収容される回転体６２及び前記回転体６２により作動するリンク体６４を備える。
【００３５】
加えて、前記回転体６２は、前記移動部３０の前進及び復帰に必要な作動力を与えるものであり、前記下部回動板４４の後方側に一体に形成されて前記下部回動板４４の蝶番軸Ｐ１に沿って正転又は逆転する。
【００３６】
また、前記リンク体６４は、前記回転体６２の回転経路、好ましくは、前記回転体６２及び前記ガイド軸３２にそれぞれ蝶着されるものであり、前記回転体６２と前記ガイド軸３２との間の距離を調節する。
【００３７】
このとき、前記調節部６０は、前記回転体６２により前記家具扉Ｄの回転力を伝え、前記リンク体６４により前記移動部３０の前進及び復帰による作動力を与える機能を行う。すなわち、前記回転体６２が図中の時計回り方向に回転する場合に前記移動部３０が前進し、前記回転体６２が図中の反時計回り方向に回転する場合に前記移動部３０が後進する。
【００３８】
以下、本発明による家具蝶番の作用について図８に基づいて説明する。
【００３９】
まず、図８の（ａ）に示すように、前記家具壁体Ｂに前記家具扉Ｄが完全に閉められている場合、前記下部回動板４４が回転しない状態であり、これにより、前記回転体６２が正位置にある状態である。
【００４０】
また、前記家具扉Ｄが完全に閉じられている場合、前記回転体６２及び前記リンク体６４の位置が設定された状態であり、これにより、前記ガイド軸３２が前記ガイド孔３４の図中の左側に位置している状態である。
【００４１】
もし、図８の（ｂ）及び（ｃ）に示すように、前記家具扉Ｄを開くと、前記下部回動板４４が蝶番軸Ｐ１に沿って図中の時計回り方向に回転し、これと同時に、前記回転体６２が図中の時計回り方向に回転する。
【００４２】
次いで、前記回転体６２が回転する過程で、前記回転体６２に蝶番軸Ｐ２を介して結合された前記リンク体６４が移動するため、前記蝶番軸Ｐ１と前記ガイド軸３２との間の距離が相対的に遠くなる。すなわち、前記リンク体６４の移動量に合わせて前記ガイド軸３２を中心として前記ガイド孔３４が図中の左側方向に移動するため、前記回転体６２の回転量に見合う分だけ前記移動部３０が前進する。
【００４３】
このとき、前記移動部３０には長凹孔３６及び長凹孔３８が形成された状態であるため、前記移動部３０が前記セッティングボルト１６及び前記張力ボルト１８を中心として図中の左側方向に移動して前進可能になる。
【００４４】
また、図８の（ｃ）に示すように、前記家具扉Ｄが完全に開かれる場合、前記回転体６２及び前記リンク体６４が完全に回転された状態であり、前記ガイド軸３２が前記ガイド孔３４の図中の右側に位置している。このため、前記家具扉Ｄの開き量が増えるにつれて、前記移動部３０が前進して前記家具蝶番１の長さが増大される。
【００４５】
特に、図８の（ｃ）に示すように、前記移動部３０が完全に前進されても、前記家具壁体Ｂと前記家具扉Ｄとが十分に離れている状態であるため、前記家具壁体Ｂと前記家具扉Ｄとが互いに接触しない。すなわち、前記家具扉Ｄが完全に開かれても、前記家具壁体Ｂと前記家具扉Ｄの角部とが接触しないことから、前記家具の外装が剥がれるなどの家具の損傷が防がれて寿命が延びる。
【００４６】
＜実施形態２＞
本発明の実施形態２による家具蝶番は、図９から図１１に示すように、家具壁体Ｂと家具扉Ｄとの間に配設された胴体部１０と、前記家具壁体Ｂに前記胴体部の内部板１２を固定する壁体固定部２０と、前記胴体部１０の外部板１４にガイド軸３２を介して結合された状態で前記ガイド軸３２を中心として往復動する移動部３０と、前記移動部３０に上／下部回動板４２，４４を介して結合された状態で前記家具扉Ｄの回転方向を案内する蝶番部４０と、前記家具扉Ｄに前記蝶番部４０を結合する扉固定部５０と、前記移動部３０の移動経路に設けられて前記移動部３０の往復動を案内する案内部７０と、を備える。
【００４７】
また、前記案内部７０は、前記外部板１４に形成されたガイド孔７２と、前記外部板１４と前記移動部３０とを結合した状態で前記ガイド孔７２に沿って往復動するガイド軸７４と、前記外部板１４の外周面に結合されて前記ガイド軸７４の復帰力を与える弾性リング７６と、を備える。
【００４８】
ここで、本発明の実施形態２による前記家具蝶番１は、前記胴体部１０を備えて壁体固定部２０と、移動部３０と、蝶番部４０と、扉固定部５０とが一体に組み立てられてなり、特に、敷衍すると、前記家具蝶番１に前記実施形態１の前記調節部６０の代わりに前記案内部７０を設けたところに特徴がある。
【００４９】
但し、前記胴体部１０は、前記移動部３０の内周面及び外周面にそれぞれ突き当てられる内部板１２及び外部板１４と、前記内部板１２の上面、好ましくは、上面の中心部に配設されており前記移動部３０との接触面積を狭めることはもとより、外部の荷重を緩衝させる緩衝溝１２−９と、を備える。
【００５０】
特に、前記胴体部１０の内部板１２及び前記壁体固定部２０が一体に形成されるところに相違点があり、前記内部板１２及び前記壁体固定部２０を互いに分離自在に形成しても本願の技術範囲に属するということはいうまでもない。
【００５１】
また、本発明の実施形態２による前記家具蝶番１の必須的な構成要素のうち、前記胴体部１０と、前記壁体固定部２０と、前記移動部３０と、前記蝶番部４０と、前記扉固定部５０とは実施形態１と実質的に同様であるためこれらについての詳細な説明を省略し、前記案内部７０のガイド孔７２と、ガイド軸７４と、弾性リング７６とに限定して説明する。
【００５２】
更に、前記ガイド孔７２は、前記胴体部１０と前記移動部３０とを互いに結合するためのものであり、前記外部板１４の両側部に長手方向に沿って長凹孔の形状に形成し、特に、前記ガイド孔３４と対応する形状を形成することはもとより、前記ガイド孔３４と対応する長さ及び高さを有するように形成する。
【００５３】
更にまた、前記ガイド軸７４は、前記胴体部１０と前記移動部３０とを互いに結合するためのものであり、前記移動部３０に幅方向に沿って取着され、前記ガイド軸３２と対応する形状を有するように形成する。
【００５４】
加えて、前記弾性リング７６は、前記ガイド軸７４の両端部に結合されて弾性力を与え、前記外部板１４及び前記移動部３０間の結合力を増大させて遊動を防ぐとともに、抜脱を防ぐ機能を担う。このため、前記胴体部１０と前記移動部３０とが前記ガイド軸３２，７４及び前記ガイド孔３４，７２を介して結合され、これにより、前記家具扉Ｄの開閉過程で前記移動部３０の前進及び復帰が行われる。
【００５５】
以下、本発明の実施形態２による家具蝶番の作用について図１１に基づいて説明する。
【００５６】
まず、図１１の（ａ）に示すように、前記家具壁体Ｂに前記家具扉Ｄが完全に閉じられている場合、前記上／下部回動板４２，４４が回転しない状態であり、これにより、前記移動部３０が正位置にある状態である。
【００５７】
また、前記家具扉Ｄが完全に閉じられている場合、前記ガイド軸３２が前記ガイド孔３４の図中の左側に位置しているとともに、前記ガイド軸７４が前記ガイド孔７２の図中の右側に位置している状態である。
【００５８】
もし、図１１の（ｂ）及び（ｃ）に示すように、前記家具扉Ｄを開くと、前記上／下部回動板４２、４４が蝶番軸Ｐ１、Ｐ２に沿って回転するため、前記上／下部回動板の回動量に見合う分だけ前記移動部３０が前進する。すなわち、前記移動部３０が前記ガイド軸３２及び前記ガイド孔７２を中心として図中の右側方向に移動する。
【００５９】
特に、図１１の（ｃ）に示すように、前記家具扉Ｄを完全に開くと、前記ガイド軸３２が前記ガイド孔３４の図中の右側に位置しているとともに、前記ガイド軸７４が前記ガイド孔７２の図中の右側に位置している。
【００６０】
一方、前記家具扉Ｄを閉じると、図１１の（ｃ）から（ａ）に示す順序に従って徐々に閉じられ、特に、前記弾性リング７６の弾性力により前記ガイド軸７４の復帰過程が円滑に行われる。
【００６１】
上述した本発明による家具蝶番は、上述した実施形態に何等限定されるものではなく、以下の特許請求の範囲において請求する本発明の要旨を逸脱しない限り、本発明が属する技術分野において通常の知識を有する者であれば誰でも種々に変更して実施可能な範囲までの技術をも含むものである。
【符号の説明】
【００６２】
Ｂ  家具壁体、Ｄ  家具扉、１０  胴体部、１２  内部板、１２−２  切欠孔、１２−４  ボルト孔、１２−６，１２−８  前／後方フック、１２−９  緩衝溝、１４  外部板、１４−２，１４−６  長凹孔、１４−４  ボルト孔、１６  セッティングボルト、１８  張力ボルト、２０  壁体固定部、２２  前方係止爪、２４  後方係止爪、３０  移動部、３１  長凹孔、３２  ガイド軸、３４  ガイド孔、３６  長凹孔、３８  長凹孔、４０  蝶番部、４２  上部回動板、４４  下部回動板、５０  扉固定部、６０  調節部、６２  回転体、６４  リンク体、７０  案内部、７２  ガイド孔、７４  ガイド軸、７６  弾性リング。
【図１】
2018013028.tif 000003
【図２】
2018013028.tif 000004
【図３】
2018013028.tif 000005
【図４】
2018013028.tif 000006
【図５】
2018013028.tif 000007
【図６】
2018013028.tif 000008
【図７】
2018013028.tif 000009
【図８】
2018013028.tif 000010
【図９】
2018013028.tif 000011
【図１０】
2018013028.tif 000012
【図１１】
2018013028.tif 000013
【手続補正書】
【提出日】平成29年7月20日(2017.7.20)
【手続補正１】
【補正対象書類名】特許請求の範囲
【補正対象項目名】請求項１
【補正方法】変更
【補正の内容】
【請求項１】
家具壁体（Ｂ）と家具扉（Ｄ）との間に配設される胴体部（１０）と、
前記家具壁体（Ｂ）の設置場所に前記胴体部（１０）を係合する壁体固定部（２０）と、
前記胴体部（１０）にガイド軸（３２）を介して結合された状態で前記ガイド軸（３２）に沿って往復動する移動部（３０）と、
前記移動部（３０）に上／下部回動板（４２，４４）を介して結合された状態で前記家具扉（Ｄ）の回転方向を案内する蝶番部（４０）と、
前記家具扉（Ｄ）の設置場所に前記蝶番部（４０）を蝶着する扉固定部（５０）と、
前記移動部（３０）に収容された状態で前記移動部（３０）の前進及び復帰を調節する調節部（６０）と、
を備え、
前記胴体部（１０）は、
前記移動部（３０）の内周面に収容される内部板（１２）と、
前記移動部（３０）の外周面に覆い被せられた外部板（１４）と、
前記内部板（１２）のボルト孔（１２−４）に締め付けられた状態で前記内部板（１２）と前記外部板（１４）とを結合するセッティングボルト（１６）と、
前記外部板（１４）のボルト孔（１４−４）に締め付けられた状態で前記内部板（１２）と前記外部板（１４）とを結合する張力ボルト（１８）と、
を備える、家具扉のジャンプ距離を増大させる家具蝶番。
【手続補正２】
【補正対象書類名】明細書
【補正対象項目名】００５８
【補正方法】変更
【補正の内容】
【００５８】
もし、図１１の（ｂ）及び（ｃ）に示すように、前記家具扉Ｄを開くと、前記上／下部回動板４２、４４が蝶番軸Ｐ１、Ｐ２に沿って回転するため、前記上／下部回動板の回動量に見合う分だけ前記移動部３０が前進する。すなわち、前記移動部３０が前記ガイド軸３２及び前記ガイド孔７２を中心として図中の左側方向に移動する。